(57)【要約】【課題】コンパクトな衛生洗浄装置を提供する。【解決手段】衛生洗浄装置は、腰掛便器内部に向け進退する洗浄ノズル部を備えた衛生洗浄装置であって、前記洗浄ノズル部は、取付台と、前記取付台に対して進退可能に支持された洗浄ノズルと、前記洗浄ノズルの周囲に設けられたコイル部と、前記洗浄ノズルに配設され、前記コイル部への通電による磁力によって、磁性体である磁石と共に回転して、前記洗浄ノズルに供給される水の流量を調整する流量調整部と、を備える。【選択図】  図３
2016156162.tif 000002
【特許請求の範囲】
【請求項１】
腰掛便器内部に向け進退する洗浄ノズル部を備えた衛生洗浄装置であって、
前記洗浄ノズル部は、
前記腰掛便器内部に対して進退可能に支持された洗浄ノズルと、
前記洗浄ノズルの周囲に設けられたコイル部と、
前記コイル部を制御する制御部と、
前記コイル部及び前記制御部を電気的に接続したハーネス部材と、
前記洗浄ノズルに配設され、前記コイル部への通電による磁力によって、磁性体である磁石と共に回転して、前記洗浄ノズルに供給される水の流量を調整する流量調整部と、
を備えたことを特徴とする衛生洗浄装置。
【請求項２】
前記洗浄ノズル部は、前記洗浄ノズルを進退可能に支持する取付台を備え、
前記コイル部は、前記取付台に設けられている、
請求項１に記載の衛生洗浄装置。
【請求項３】
前記磁石は複数あり、それぞれの前記磁石は、前記流量調整部の周方向に沿って等間隔に配置されている、
請求項１又は請求項２に記載の衛生洗浄装置。
【請求項４】
前記洗浄ノズルには、人体を洗浄する吐水部が設けられており、
前記コイル部は、前記洗浄ノズルの収納位置と、前記吐水部が人体を洗浄する位置へ移動した位置とに、前記磁石の磁力線と、前記コイル通電時の磁力線と略平行になる状態に複数固定され、前記流量調整部は、電磁石効果により駆動される、
ことを特徴とする請求項１乃至請求項３の何れか１項に記載の衛生洗浄装置。
【発明の詳細な説明】
【技術分野】
【０００１】
本発明は、洗浄ノズルを備えた衛生洗浄装置に関する。
【０００２】
従来から、水源から供給された洗浄水を、吐水部から使用者の身体へ噴出して局部を洗浄する衛生洗浄装置が知られている。また、近年、使用者の意思により洗浄水の流量を変化させることができる衛生洗浄装置も知られている。
【０００３】
このような構成の衛生洗浄装置の中には、流量の調整部と、洗浄ノズルと、を一体化した構成が開示されている（例えば特許文献１参照。）。
【先行技術文献】
【特許文献】
【０００４】
【特許文献１】特開２００７−２７０５６４号公報
【発明の概要】
【発明が解決しようとする課題】
【０００５】
しかしながら、特許文献１に記載の洗浄ノズルでは、流量調整部の駆動力としてステッピングモータ等の電気的手段が多く、ハーネス部材による接続が必要であった。また、洗浄ノズルは人体の洗浄状態の際、腰掛便器内部へ進出した状態である。すなわち、ハーネス部材は洗浄ノズルの最大進出状態に合わせたハーネス部材長さが必要となる。そのため、洗浄ノズルの収納状態では、ハーネス部材長さが収納可能な空間が必要となり、衛生洗浄装置が大型化するという課題が残されていた。
【０００６】
そこで、本発明は、上述した課題を解決するためになされたものであり、コンパクトな衛生洗浄装置を提供することを目的の一つにしている。
【課題を解決するための手段】
【０００７】
第１態様による衛生洗浄装置は、腰掛便器内部に向け進退する洗浄ノズル部を備えた衛生洗浄装置であって、前記洗浄ノズル部は、前記腰掛便器内部に対して進退可能に支持された洗浄ノズルと、前記洗浄ノズルの周囲に設けられたコイル部と、前記コイル部を制御する制御部と、前記コイル部及び前記制御部を電気的に接続したハーネス部材と、前記洗浄ノズルに配設され、前記コイル部への通電による磁力によって、磁性体である磁石と共に回転して、前記洗浄ノズルに供給される水の流量を調整する流量調整部と、を備えたことを特徴とする。
【０００８】
この構成によれば、流量調整部は、磁石を有しているため、周囲に設けられたコイル部への通電を行うことで、流量調整部とコイル部とに磁力による吸着や反発による回転力が発生し、洗浄ノズルに供給される水の流量を調整することができる。すなわち、進退可能な洗浄ノズルに配設された流量調整部は、制御部へのハーネス部材による電気的接続を排除できる。そのため、流量調整部が配設される洗浄ノズルにおいて、収納時のハーネス収納空間が必要なくなり、衛生洗浄装置をコンパクトにすることができる。
【０００９】
第２態様による衛生洗浄装置は、前記洗浄ノズル部は、前記洗浄ノズルを進退可能に支持する取付台を備え、前記コイル部は、前記取付台に設けられている。
【００１０】
この構成によれば、取付台を、洗浄ノズルを進退するための部材と、コイル部を配設する部材として使用するため、部品数量を減らすことができる。
【００１１】
第３態様による衛生洗浄装置は、前記磁石は複数あり、それぞれの前記磁石は、前記流量調整部の周方向に沿って等間隔に配置されている。
【００１２】
この構成によれば、回転駆動をする流量調整部に均一な回転力を伝えることができる。
【００１３】
第４態様による衛生洗浄装置は、前記洗浄ノズルには、人体を洗浄する吐水部が設けられており、前記コイル部は、前期洗浄ノズルの収納位置と、前記吐水部が人体を洗浄する位置へ移動した位置とに、前記磁石の磁力線と、前記コイル通電時の磁力線と略平行になる状態に複数固定され、前記流量調整部は、電磁石効果により駆動される。
【００１４】
この構成によれば、収納位置と、人体を洗浄する位置とで流量調整部の位置をそれぞれ異なる位置へ変化させることができる。また、コイル部の磁力線と、流量調整部の磁石の磁力線を略平行に固定することで、流量調整部が傾くことを防止し、安定した回転力を流量調整部へ伝えることができる。
【発明の効果】
【００１５】
本発明によれば、コンパクトな衛生洗浄装置を提供することができる。
【図面の簡単な説明】
【００１６】
【図１】本発明におけるトイレ装置である。
【図２】本発明における衛生洗浄装置の水路図である。
【図３】本発明における洗浄ノズルの斜視図である。
【図４】洗浄ノズルと流量調整部の関係図である。
【図５】流量調整部の分解図と、稼動部と磁性体との関係図である。
【図６】図６（ａ）は、流量調整部の可動部、図６（ｂ）は、流量調整部の固定部形状図である。
【図７Ａ】胴体洗浄時の洗浄ノズル位置と流量調整部の断面図である。
【図７Ｂ】おしり洗浄時の洗浄ノズル位置と流量調整部の断面図である。
【図７Ｃ】ビデ洗浄時の洗浄ノズル位置と流量調整部の断面図である。
【発明を実施するための形態】
【００１７】
以下、本発明の実施の形態について図面を参照しつつ説明する。
【００１８】
図１は、本発明の実施の形態にかかる衛生洗浄装置を備えたトイレ装置を例示する模式的斜視図である。
【００１９】
図１に表したトイレ装置は、洋式腰掛便器５００と、その上方に設けられた衛生洗浄装置１００と、を備える。衛生洗浄装置１００は、ケーシング２００と、便座３００と、便蓋４００とを、有する。
【００２０】
ケーシング２００の内部には、衛生洗浄装置１００としての機能部が設けられている。機能部としては、例えば局部洗浄用の洗浄ノズルおよびノズル洗浄機構などがある。これらについては、後に記述する。
【００２１】
図２は、本実施形態にかかる衛生洗浄装置１００の機能部を示すブロック図である。
【００２２】
ケーシング２００の内部には、バルブユニット１０１と、熱交換器１０２と、バキューブブレーカ１０３と、流量調整部５００と、洗浄ノズル７００と、ノズル洗浄機構８００と、制御部９００と、複数のコイル部７１５ａ、７１５ｂ、７１５ｃと、ハーネス部材９５０と、が設けられている。また、ケーシング２００の内部には、水道や貯水タンクなどの給水源から供給された水を洗浄ノズル７００やノズル洗浄機構８００へ導く主流路１５１が設けられている。
【００２３】
主流路１５１の上流側には、バルブユニット１０１が設けられている。バルブユニット１０１は、水道から給水を受け、制御部９００からの指令に基づいて水の供給を制御する。バルブユニット１０１の下流には、熱交換器１０２が設けられている。熱交換器１０２は、バルブユニット１０１を通過した水を加温することができる。
【００２４】
熱交換器１０２の下流には、流量調整部５００が設けられている。また、複数のコイル部７１５ａ、７１５ｂ、７１５ｃは、制御部９００にハーネス部材９５０で接続され、流量調整部５００の周囲に設けられている。流量調整部５００は、熱交換器１０２から送られた洗浄水の供給先を、おしり洗浄流路７１０と、ビデ洗浄流路７１１と、ノズル洗浄流路７１２と、それぞれの流路に切り替え、流量を調整する。
【００２５】
おしり洗浄流路７１０とビデ洗浄流路７１１との下流には、洗浄ノズル７００が設けられている。おしり洗浄流路７１０とビデ洗浄流路７１１は、それぞれ洗浄ノズル７００の先端部にある吐水部７０１の、おしり洗浄用吐水穴７２０とビデ洗浄用吐水穴７３０に連通し、使用者の肛門などの局部を洗浄水で洗浄することができる。また、洗浄ノズル７００の外周部には、洗浄ノズルを洗浄するノズル洗浄機構８００が設けられている。
【００２６】
洗浄ノズル７００およびノズル洗浄機構８００について、図面を参照しつつさらに説明する。
【００２７】
図３は、本実施形態の洗浄ノズル部１０４の具体例を例示する模式的斜視図である。
【００２８】
本実施形態の洗浄ノズル部１０４は、洗浄ノズル７００と、ノズル洗浄機構８００と、を有する。
【００２９】
また、本実施形態の洗浄ノズル部１０４は、基台としての取付台７１０と、取付台７１０に固定される複数のコイル部７１５ａ、７１５ｂ、７１５ｃと、円筒形状の洗浄ノズル７００を移動させるノズルモータ７０５と、を有する。洗浄ノズル７００は、取付台７１０に支持され、図３に表した矢印Ａのように、ベルトなどの伝動部材７５０を介してノズルモータ７０５から伝達される駆動力により、取付台７１０に対し摺動自在に設けられている。すなわち、局部洗浄ノズル７００は、洗浄ノズル７００自身の軸方向（進退方向）に直進移動することができる。そして、洗浄ノズル７００は、ケーシング２００および取付台７１０から進退自在に移動できる。
【００３０】
また、本実施形態の洗浄ノズルには、ノズル洗浄機能８００が設けられている。ノズル洗浄機能８００は、取付台７１０に対して固定され、その内部に設けられたノズル洗浄部（図示略）へ水を通水することにより、洗浄ノズル７００の外周表面を洗浄（胴体洗浄）することができる。
【００３１】
より具体的には、洗浄ノズル７００がケーシング２００に収納された状態において、洗浄ノズル７００のおしり洗浄用吐水穴７２０とビデ洗浄用吐水穴７３０の部分はノズル洗浄機構８００の中にほぼ収納されている。そのため、ノズル洗浄機構８００は、その内部に設けられたノズル洗浄部から水を噴射することにより、収納された状態の洗浄ノズル７００のおしり洗浄用吐水穴７２０とビデ洗浄用吐水穴７３０の部分を洗浄することができる。また、ノズル洗浄機構８００は、洗浄ノズル７００の進退時においてノズル洗浄部から水を噴射することにより、おしり洗浄用吐水穴７２０とビデ洗浄用吐水穴７３０の部分だけではなく他の部分の外周表面を洗浄することができる。
【００３２】
つぎに、流量調整部５００について説明する。図４は流量調整部５００が配設されている状態を示したのもである。
【００３３】
流量調整部５００は、洗浄ノズル７００に接して配設される。具体的には、流量調整部５００は、洗浄ノズル７００の後端に位置する。そして、熱交換器１０２から送られた洗浄水を、洗浄ノズル７００のおしり洗浄流路７１０、ビデ流路７１１、ノズル洗浄流路７１２に切り替え、かつその流量を調整する。
【００３４】
図５は、流量調整部５００を構成する部品の分解図と、稼動部５５０と磁性体５５１との関係図である。
【００３５】
これらの部品は洗浄ノズル７００に組み込まれ、一体に構成されている。一体化することにより、部材数削減によるコスト低下といった製造上の利点があり、洗浄ノズル部１０４の小型化（コンパクト化）も図ることができる。この流量調整部５００は、押板５１１と、Ｏリング５１２と、収納ボディ５１３と、Ｙパッキン５１４と、シールフランジ５１６と、スプリング５１７と、可動部５２０と、当該可動部５２０に接合され内部に磁性体５５１を有する磁石部５５０と、固定部５３０と、固定シール部５４０と、から構成されている。
【００３６】
磁石部５５０と、可動部５２０とは、洗浄ノズル７００の軸方向は固定されず、洗浄ノズル７００の回転方向は固定され、凹凸形状により接合されている。すなわち、洗浄ノズル７００の軸方向に対し、回転方向へ磁石部５５０と、可動部５２０は一体となり回転することができる。なお、磁石部５５０は、洗浄ノズル７００と押板５１１により洗浄ノズル７００の軸方向に固定されている。
【００３７】
磁性体５５１は磁石であり、稼動部５２０にインサート成型により密閉固定されるが、可動部に凹形状を設け磁性体５５１を挿入した状態で接着する固定など、その他の密閉固定手段を用いてもよい。密閉することにより、磁性体５５１の腐食を防止することができるが、フェライト磁石のように腐食に強いものを用いてもよい。また、磁性体５５１は磁束方向が、洗浄ノズル７００の円周接線方向に一致する位置に稼動部中心軸５９９に対し１８０度間隔で２個配設されている。
【００３８】
これら流量調整部５００のうち弁機能を果たす可動部５２０と固定部５３０の上面図を図６（ａ）、（ｂ）に示す。図６（ａ）に示すように、可動部５２０には、穴５２１と、穴５２２が貫通するように形成されており、ハッチング部は穴領域を示している。
【００３９】
また、図６（ｂ）に示すように、固定部５３０には、ビデ流路７１１に通じるビデ穴５３１、おしり洗浄流路に通じるおしり洗浄穴５３２、ノズル洗浄流路に通じる胴体洗浄流路穴５３３が貫通するように形成されており、ハッチング部は穴領域を示している。また各穴に連通するように凹部５３１ａ、５３２ａがそれぞれの幅をもって固定部５３０の円周方向に形成されている。また、凹部５３２ａはおしり洗浄時、凹部５３１ａはビデ洗浄時にそれぞれ流量調整するために使用される。各洗浄流路への洗浄水の切替は可動部５２０の各穴部のいずれかが、固定部５３０の各穴部とそれに連通する凹部のいずれかに連通することによって行われる。また、固定部５３０に備えられた凹部５３１ａ, ５３１ｂの深さは連通する貫通穴に向かって増加している。そして、可動部５２０を回転移動させることで、可動部５２０と固定部５３０の凹部５３１ａ, ５３１ｂもしくは穴部によって形成される最小流路断面積を増加もしくは減少させることで、選択された洗浄流路への洗浄水流量が変化する。なお、図６（ａ）、（ｂ）に示すように可動部５２０と固定部５３０にはそれぞれ回転中心部５２９、回転中心部５３９があり、この回転中心部５２９、回転中心部５３９が一致した状態で、可動部５２０は固定部５３０上を回転する。
【００４０】
つぎに、可動部５２０の駆動機構について説明する。図７Ａはノズル洗浄位置、図７Ｂはおしり洗浄位置、図７Ｃはビデ洗浄位置を示したものである。また、それぞれの洗浄位置に対する流量調整部５００の断面図を示している。
【００４１】
図７Ａ、図７Ｂ、図７Ｃより、コイル部７１５ａ、７１５ｂ、７１５ｃは、おしり洗浄位置、ビデ洗浄位置、ノズル洗浄位のそれぞれの位置に、洗浄ノズル７００に対し円周方向の略対角位置それぞれの位置に２個配設されている。また、コイル部７１５ａ、７１５ｂ、７１５ｃは通電時の磁束方向が、洗浄ノズル７００の軸の円周接線方向に平行となる状態で配設されている。
【００４２】
ノズル洗浄位置では、磁石部５５０は、コイル部７１５ａの電磁石効果により、図７Ａの位置へ吸着される。すなわち、可動部５２０の大穴５２１が、固定部５３０の胴体洗浄流路穴５３３に連通する位置に移動し、バルブユニット１０１からの給水によりノズル洗浄が開始される。
【００４３】
おしり洗浄位置では、磁石部５５０は、コイル部７１５ｂへの通電による電磁石効果により、図７Ｂの位置へ吸着される。すなわち、おしり洗浄位置では、可動部５２０の大穴５２１が、固定部５３０のおしり洗浄穴５３２に連通する位置に移動し、バルブユニット１０１からの給水によりおしり洗浄が開始される。
【００４４】
さらに、固定部５３０の大穴５２１位置を、電磁石の強弱バランスにより凹部５３２ａの円周方向に移動させることにより流量の調整をすることができる。
【００４５】
ビデ洗浄位置では、磁石部５５０は、コイル部７１５ｃへの通電による電磁石効果により、図７Ｃの位置へ吸着される。すなわち、ビデ洗浄位置では、可動部５２０の大穴５２１が、固定部５３０のおしり洗浄穴５３２に連通する位置に移動し、バルブユニット１０１からの給水によりビデ洗浄が開始される。
【００４６】
さらに、固定部５３０の大穴５２１位置を、電磁石の強弱バランスにより凹部５３１ａの円周方向に移動させることにより流量の調整をすることができる。
【００４７】
以上、本発明の実施の形態について説明した。しかし、本発明はこれらの記述に限定されるものではない。前述の実施の形態に関して、本発明の特徴を備えている限り、本発明の範囲に包含される。
【００４８】
例えば、コイル部７１５ａ、７１５ｂ、７１５ｃは、各洗浄位置に対し２個の数量としたが、１個としてもよいし、２個以上とすることもできる。コイル部７１５ａ、７１５ｂ、７１５ｃは、取付台に固定する構成としたが、別部品に固定し衛生洗浄装置内に配設してもよい。磁性体５５１は、磁石部に２個の数量としたが、１個としてもよいし、２個以上とすることもでき、等間隔での配置に限定しなくてもよい。コイル部７１５ａ、７１５ｂ、７１５ｃの通電時の磁力線は、磁性体５５１の磁力線と略並行となる配置としたが、流量調整部が回転できる範囲で角度をつけてもよい。
【００４９】
また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１００…衛生洗浄装置、
１０１…バルブユニット、
１０２…熱交換器、
１０３…バキュームブレーカ、
１０４…洗浄ノズル部
１５１…主流路、
２００…ケーシング、
３００…便座、
４００…便蓋、
５００…流量調整部、
５１１…押板、
５１２…Oリング、
５１３…収納ボディ、
５１４…Ｙパッキン、
５１７…スプリング、
５２０…可動部、
５２１…穴、
５２２…穴、
５２９…回転中心部、
５３０… 固定部、
５３１ａ…ビデ用凹部、
５３１…ビデ流路穴、
５３２ａ…おしり用凹部、
５３２…おしり流路穴、
５３３…胴体洗浄流路穴、
５３９…回転中心部
５４０…固定シール部、
５５０…磁石部、
５５１…磁性体、
５５９…稼動部中心軸
６００…洋式腰掛便器
７００…洗浄ノズル、
７０１…吐水部、
７１０…ビデ流路、
７１１…おしり流路、
７１２…ノズル洗浄流路、
７１５ａ〜ｃ…コイル部、
７２０…おしり洗浄用吐水穴、
７３０…ビデ洗浄用吐水穴、
７５０…伝動部材、
８００…ノズル洗浄機構、
９００…制御部、
９５０…ハーネス部材
【図１】
2016156162.tif 000003
【図２】
2016156162.tif 000004
【図３】
2016156162.tif 000005
【図４】
2016156162.tif 000006
【図５】
2016156162.tif 000007
【図６】
2016156162.tif 000008
【図７Ａ】
2016156162.tif 000009
【図７Ｂ】
2016156162.tif 000010
【図７Ｃ】
2016156162.tif 000011